(57)【特許請求の範囲】
【請求項１】
貫通孔が形成された錘部を有する疑似餌本体と、
前記貫通孔に対して着脱可能な錘体と、
を有する釣用疑似餌であって、
前記錘体は、弾性力を有する線材によってＵ字状に湾曲形成された接続部と、前記接続部の両端に保持される錘とを有し、
前記接続部の両端に保持される錘は、前記接続部の弾性力によって前記錘部を両側から挟持した際、前記貫通孔に係合する凸部を有することを特徴とする釣用疑似餌。
【請求項２】
貫通孔が形成された錘部を有する疑似餌本体と、
前記貫通孔に対して着脱可能な錘体と、
を有する釣用疑似餌であって、
前記錘体は、伸縮性のある弾性材によってリング状に形成された接続部と、前記接続部に対して互いに対向する状態で連結される一対の錘とを有し、
前記一対の錘は、前記リング状に形成された接続部を前記錘部の周囲に巻回保持した際、前記貫通孔に係合する凸部を有することを特徴とする釣用疑似餌。
【請求項３】
貫通孔が形成された錘部を有する疑似餌本体と、
前記貫通孔に対して着脱可能な錘体と、
を有する釣用疑似餌であって、
前記錘体は、前記貫通孔に挿通される棒状の接続部の両端に設けられる一対の錘を有しており、
前記一対の錘の一方は、前記接続部の端部に対して着脱可能に螺合されることを特徴とする釣用疑似餌。
【請求項４】
釣用疑似餌の疑似餌本体に設けられた錘部の貫通孔に対して着脱可能であり、伸縮性のある弾性材によってリング状に形成された接続部と、前記接続部に対して互いに対向する状態で連結される一対の錘とを有する錘体であって、
前記一対の錘は、前記リング状に形成された接続部を前記錘部の周囲に巻回保持した際、前記貫通孔に係合する凸部を有することを特徴とする錘体。
【発明の詳細な説明】
【０００１】
【発明の属する技術分野】
本発明は、主としてイカ釣りに際して用いられる釣用疑似餌、及びそれに用いられる錘体に関する。
【０００２】
【従来の技術】
通常、主としてイカ釣用に用いられる釣用疑似餌は、海老や蝦蛄の形態を模した本体の後部に掛針を設けると共に、本体前方の下面側に落下を促がすための錘部を設けた構成となっている。
【０００３】
このような構成の釣用疑似餌に関し、特開平１１−１２７７３１号には、平板状の重錘（錘部）に、別体となった多数の副重錘を、粘着性シートや磁着もしくは嵌合によって取り付け、落下速度を調整する技術が開示されている。
【０００４】
【発明が解決しようとする課題】
しかしながら、副重錘が粘着シートによる構成では、海水で何度も使用していると、塩分等の付着によって粘着性が低下してしまい、磁着や嵌合による構成では、その取付面が度重なる使用で腐食したり等すると、上手く取り付けられない状態になる可能性がある。また、これに伴って、副重錘が海中に落下してしまうという問題も生じる。
【０００５】
更に、上記した構成の疑似餌を用いたイカ釣り（一般的にエギングと呼ばれている）は、夜間に行なわれることが多く、夜間で手元が暗い状況では、多数の副重錘を要領よく取り付けることが困難である。また、上記した公報に開示されている副重錘の取り付け方法では、疑似餌本体の左右のバランスに狂いが生じやすく、疑似餌の動きが悪くなって、釣果に悪影響を与えてしまう。
【０００６】
本発明は、上記した問題に基づいて成されたものであり、暗闇でも重量調整が容易に行なえると共に、実釣時に左右のバランスを崩さない釣用疑似餌を提供することを目的とする。また、本発明は、釣用疑似餌に対し、重量調整が容易に行なえると共に、外れにくい構成の錘体を提供することを目的とする。
【０００７】
【課題を解決するための手段】
上記課題を解決するために、本発明に係る釣用疑似餌は、貫通孔が形成された錘部を有する疑似餌本体と、前記貫通孔に対して着脱可能な錘体と、を有しており、前記錘体は、弾性力を有する線材によってＵ字状に湾曲形成された接続部と、前記接続部の両端に保持される錘とを有し、前記接続部の両端に保持される錘は、前記接続部の弾性力によって前記錘部を両側から挟持した際、前記貫通孔に係合する凸部を有することを特徴とする。
また、本発明に係る釣用疑似餌は、貫通孔が形成された錘部を有する疑似餌本体と、前記貫通孔に対して着脱可能な錘体と、を有しており、前記錘体は、伸縮性のある弾性材によってリング状に形成された接続部と、前記接続部に対して互いに対向する状態で連結される一対の錘とを有し、前記一対の錘は、前記リング状に形成された接続部を前記錘部の周囲に巻回保持した際、前記貫通孔に係合する凸部を有することを特徴とする。
また、本発明に係る釣用疑似餌は、貫通孔が形成された錘部を有する疑似餌本体と、前記貫通孔に対して着脱可能な錘体と、を有しており、前記錘体は、前記貫通孔に挿通される棒状の接続部の両端に設けられる一対の錘を有し、前記一対の錘の一方は、前記接続部の端部に対して着脱可能に螺合されることを特徴とする。
【０００９】
また、上記課題を解決するために、本発明に係る錘体は、釣用疑似餌の疑似餌本体に設けられた錘部の貫通孔に対して着脱可能であり、伸縮性のある弾性材によってリング状に形成された接続部と、前記接続部に対して互いに対向する状態で連結される一対の錘とを有しており、前記一対の錘は、前記リング状に形成された接続部を前記錘部の周囲に巻回保持した際、前記貫通孔に係合する凸部を有することを特徴とする。
【００１１】
【発明の実施の形態】
図１は、本発明に係る釣用疑似餌の一実施形態の全体構成を示す図である。この実施形態の釣用疑似餌１は、イカ釣りに適した形状として構成された疑似餌本体３を有している。疑似餌本体３は、海老や蝦蛄等の形態を模しており、必要に応じて、目、髭等を取付け、色柄模様を付して構成されている。
【００１２】
疑似餌本体３の後部には、イカを引っ掛ける掛針５が設けられていると共に、その前部には、魚釣用リールから繰り出される釣糸と連結される連結部７が設けられている。また、疑似餌本体３の前方の下面側には、落下を促がすための錘部１０が設けられている。そして、この錘部１０には、以下に述べる錘体を保持するための係止部である貫通孔１２が形成されている。
【００１３】
図２は、前記錘部１０に着脱される錘体の構成を示す図であり、（ａ）は平面図、（ｂ）は断面図である。
錘体１５は、鉛、あるいはタングステン等の高比重材によって形成された錘１６を備えており、この錘１６は、接続部１７の両端に保持されている。各錘１６は、半球状に形成され、その平面１６ａの中央部には、前記貫通孔１２に係合可能な凸部１６ｂが形成されている。
【００１４】
また、前記接続部１７は、錘部１０を挟持できるように、Ｕ字状に湾曲形成されており、所定の弾性力を有する線材によって形成されている。
【００１５】
上記した構成の錘体１５は、図３に示すように、錘１６の部分を図の矢印で示すように広げ、この状態で錘部１０の貫通孔１２に係合させれば良い。これにより、錘体１５は、接続部１７の弾性力によって錘部１０を挟持し、かつ前記凸部１６ｂが貫通孔１２に位置すると共に、その平面１６ａが貫通孔１２の周囲に当て付いて保持された状態となる。
【００１６】
図４及び図５は、錘体１５が錘部１０に装着された状態を示す図である。
これらの図に示すように、錘体１５は、接続部１７を介して錘部１０を挟持すると共に、錘部１０に形成された貫通孔に保持される。この場合、錘体１５は、錘１６に形成された凸部１６ｂが貫通孔に入り込んで弾性付勢されるため、その位置がずれることなく落下が確実に防止される。すなわち、上述した公知技術のように、粘着テープ、磁着、嵌合といった取付手段とは異なり、弾性を有する接続部１７によって錘部を弾性的に挟持し、この挟持した状態で貫通孔による係止部に錘１６をはめ込むため、頻繁に使用したり、あるいは衝撃を受けても、外れるようなことがなくなる。
【００１７】
また、装着に際しては、単に接続部１７を広げるだけで良いため、夜釣りで手元が暗くても容易に着脱することが可能であり、錘体１５を装着した後は、錘部１０の両側に均等にある錘１６によって、左右のバランスが崩れるようなことはない。
【００１８】
上記した錘体１５は、疑似餌本体３と一体的に販売しても良いし、別体として販売しても良い。この場合、錘体１５について、重さの異なるものをセット化しておくことで、重量調整を容易に行なうことが可能となる。すなわち、疑似餌本体に対し、重さの異なる錘を具備する錘体１５を多数用意しておくことで、例えば、風が強い、水深がある、遠くへ投げたい等、様々なニーズに対応することが可能となる。また、錘体１５は、接続部１７を介して錘１６を連結する構成であるため、加工が容易で、低コストに製造することができる。
【００１９】
上記した錘部１０に形成される係止部は、例えば、その両面側に凹所を形成したり、凸部を形成することで構成しても良いが、上記のように貫通孔とすることで、加工が容易に行なえると共に、暗闇での錘体１５の装着が簡単で確実に行なえるようになる。
【００２０】
図６は、疑似餌本体の変形例を示す図である。
この変形例では、錘部を挟持する接続部１７に対応して、錘部１０に収納部１０ａを形成している。この収納部１０ａは、錘部１０の端面部を切欠いた切欠部として構成されており、接続部１７を挟持させた際、ここに接続部を収納させることで、錘体のずれを防止すると共に、外れ難くすることが可能となる。
【００２１】
この場合、収納部を、錘体１５が錘部１０の表面と面一となるように形成することで、糸や岩等の他物が引っ掛かり難くなって、錘体１５が外れることを確実に防止することが可能となる。
【００２２】
図７は、錘体の変形例を示す図である。
この変形例では、錘部１０を挟持する接続部１７を、弾性のある板材で、図に示すように、略三角形状に屈曲して構成している。板材の外側両端部には、それぞれ錘１６が取り付けられており、図に示す折返し部分１７ａを外側に広げることによって、図１に示すような疑似餌本体の錘部１０に装着できるようになっている。
【００２３】
このように、錘体は、疑似餌本体の錘部を挟持して、錘部に形成された係止部に保持される構成であれば、その接続部の形状、構成は、適宜変形することが可能である。
【００２４】
図８及び図９は、錘体の別の実施形態を示す図であり、図８（ａ）は平面図、図８（ｂ）は断面図、そして、図９は、錘体を疑似餌本体の錘部に装着した状態を示す図である。なお、この図に示す錘体は、図１に示した疑似餌本体に設けられる錘部１０に着脱されるよう構成されている。
【００２５】
錘体２５は、鉛、あるいはタングステン等の高比重材によって形成された一対の錘２６を備えており、各錘２６は、例えば、ゴム、樹脂等、伸縮性のある弾性材によってリング状に形成された接続部２７に保持され、互いに対向する状態で連結されている。各錘２６は半球状に形成され、各対向する平面２６ａの中央部には、前記錘部１０に形成された貫通孔１２に係合可能な凸部２６ｂが形成されている。
【００２６】
上記した構成の錘体２５は、接続部２７を広げて、この状態で、各錘２６に形成された凸部２６ｂを、擬似餌本体の錘部１０の両側において貫通孔に係合させる。これにより、錘体２５は、接続部２７の弾性力によって錘部１０の周囲に巻回保持され、かつ前記凸部２６ｂが貫通孔１２に位置すると共に、その平面１６ａが貫通孔１２の周囲に当て付いて保持された状態となる。
【００２７】
この場合、錘体２５は、各錘２６に形成された凸部２６ｂが貫通孔に入り込んで弾性付勢された状態となるため、その位置がずれることなく落下が確実に防止される。また、装着に際しては、単に接続部２７を広げるだけで良いため、夜釣りで手元が暗くても容易に着脱することが可能であり、錘体２５を装着した後は、錘部１０の両側に均等に位置する錘２６によって、左右のバランスが崩れるようなことはない。
【００２８】
なお、この実施形態においても、図６に示すように、巻回保持される接続部２７に対応して、錘部１０に収納部１０ａを形成しておいても良い。
【００２９】
図１０は、錘体の更に別の実施形態を示す図であり、（ａ）は平面図、（ｂ）は、錘体を疑似餌本体の錘部に装着する様子を示す図である。
錘体３５は、鉛、あるいはタングステン等の高比重材によって形成され、半球形状の一対の錘３６ａ，３６ｂを備えており、各錘３６ａ，３６ｂは、各平面の中央部において、棒状の接続部３７の両端に位置するように連結される。この場合、部品点数が少なくなるよう、接続部３７を片方の錘３６ａと一体成形すると共に、その先端に雄ネジ部３７ａを形成しておき、これを、単体として形成された錘体３６ｂの雌ネジ部３６ｃに螺合させるように構成することが好ましい。
【００３０】
上記した構成の錘体３５によれば、接続部３７を擬似餌本体の錘部１０に形成された貫通孔１２に挿通させ、この状態で、雄ネジ部３７ａに錘体３６ｂの雌ネジ部３６ｃを螺合させることによって、錘部１０に着脱可能に取り付けられる。
【００３１】
このような構成によれば、錘体３５の位置がずれることは無く、確実に落下を防止することができる。また、錘体３５を装着した後は、錘部１０の両側に均等に位置する錘３６ａ，３６ｂによって、左右のバランスが崩れるようなこともない。
【００３２】
図１１は、上述した実施形態の変形例を示す図である。
本発明は、主としてイカ釣りに用いられる疑似餌であることから、発光体を装着できるように構成することが好ましい。図１１では、図８及び図９に示した実施形態の錘体に、発光体を装着できる構成例を示している。
【００３３】
この構成例においては、錘体２５の錘２６に、一般的に市販されている柱状の発光体５０が挿入可能となるような装着部（穴）２６ａが形成されており、ここに発光体を挿入、保持しておくことで、集魚効果を高めることが可能となる。
【００３４】
なお、このような発光体５０を装着する装着部については、上述した各実施形態において、各錘体の錘や接続部、あるいは疑似餌本体３の錘部１０に形成しておくことが可能であり、また、発光体１０が挿入される穴として構成する以外にも、発光体の形状に応じて変形することが可能であり、例えば、発光体を係止するような構成であっても良い。
【００３５】
【発明の効果】
以上、説明したように、本発明に係る釣用疑似餌によれば、暗闇でも重量調整が容易に行なえると共に、実釣時に左右のバランスを崩さない構成にすることが可能となる。また、本発明に係る疑似餌本体に着脱される錘体によれば、重量調整が容易に行なえると共に外れ難い構成となる。
【図面の簡単な説明】
【図１】本発明に係る釣用疑似餌の一実施形態の全体構成を示す図。
【図２】疑似餌本体の錘部に装着される錘体を示す図であり、（ａ）は、その全体構成を示す図、（ｂ）は、その断面図。
【図３】図２に示した錘体を錘部に装着する状態を示す図。
【図４】錘体を装着した釣用疑似餌の全体構成を示す図。
【図５】錘体が装着された錘部を拡大して示す図。
【図６】錘部の変形例を示す図。
【図７】錘体の変形例を示す図。
【図８】錘体の別の実施形態を示す図であり、（ａ）は、平面図、（ｂ）は、断面図。
【図９】図８に示す錘体を疑似餌本体の錘部に装着した状態を示す図。
【図１０】錘体の更に別の実施形態を示す図であり、（ａ）は、平面図、（ｂ）は、錘体を疑似餌本体の錘部に装着する様子を示す図。
【図１１】各実施形態に適用される変形例を示す図。
【符号の説明】
１  釣用疑似餌
３  疑似餌本体
１０  錘部
１２  貫通孔（係止部）
１５，２５，３５  錘体
１６，２６，３６ａ，３６ｂ  錘
１７，２７，３７  接続部
【図１】
0004636576.tif 000002
【図２】
0004636576.tif 000003
【図３】
0004636576.tif 000004
【図４】
0004636576.tif 000005
【図５】
0004636576.tif 000006
【図６】
0004636576.tif 000007
【図７】
0004636576.tif 000008
【図８】
0004636576.tif 000009
【図９】
0004636576.tif 000010
【図１０】
0004636576.tif 000011
【図１１】
0004636576.tif 000012